(57)【特許請求の範囲】
【請求項１】
クランクシャフト（２８）と平行な軸線を有してクランクケース（１９）に回転自在に支承される回転軸（７１）上に油圧クラッチ（６１，６２）が設けられ、前記油圧クラッチ（６１，６２）にオイルを供給する複数の回転軸内油路（１１１，１１２）が前記回転軸（７１）にその軸線方向に延びるようにして相互に間隔をあけて設けられ、前記油圧クラッチ（６１，６２）を覆って前記クランクケース（１９）に結合されるケースカバー（５５）に、オイル供給源（１２７）からのオイルを導く複数の供給油路（１２５，１２６）が設けられ、それらの供給油路（１２５，１２６）が前記各回転軸内油路（１１１，１１２）に個別に接続されるエンジンの油圧クラッチ用油路構造であって、
前記ケースカバー（５５）の、前記回転軸（７１）の一端に対応する部分が外方に突出していて、その突出部（５５ａ）の内面に、前記回転軸（７１）の一端に対向する閉塞端壁（１３５ａ）を有して該回転軸（７１）の一端部を挿入せしめる凹部（１３５）が、前記各供給油路（１２５，１２６）を内周に開口させるようにして設けられ、前記複数の供給油路（１２５，１２６）は、前記回転軸（７１）の軸線を通る一平面を挟んでその両側に振り分け配置されるようにして前記突出部（５５ａ）の側部から前記ケースカバー（５５）の外面に沿って互いに平行に延出しており、前記複数の回転軸内油路（１１１，１１２）のうちの１つである特定の回転軸内油路（１１２）を除く他の回転軸内油路（１１１）に内端を通じさせて前記回転軸（７１）の半径方向に延びる少なくとも１つの径方向連通孔（１３８）が前記回転軸（７１）の一端部に設けられ、前記径方向連通孔（１３８）が前記複数の供給油路（１２５，１２６）のうち対応の供給油路（１２５）に前記凹部（１３５）内で連通されることを特徴とするエンジンの油圧クラッチ用油路構造。
【請求項２】
クランクシャフト（２８）と平行な軸線を有してクランクケース（１９）に回転自在に支承される回転軸（７１）上に油圧クラッチ（６１，６２）が設けられ、前記油圧クラッチ（６１，６２）にオイルを供給する複数の回転軸内油路（１１１，１１２）が前記回転軸（７１）にその軸線方向に延びるようにして相互に間隔をあけて設けられ、前記油圧クラッチ（６１，６２）を覆って前記クランクケース（１９）に結合されるケースカバー（５５）に、オイル供給源（１２７）からのオイルを導く複数の供給油路（１２５，１２６）が設けられ、それらの供給油路（１２５，１２６）が前記各回転軸内油路（１１１，１１２）に個別に接続されるエンジンの油圧クラッチ用油路構造であって、
前記ケースカバー（５５）の内面に、前記回転軸（７１）の一端に対向する閉塞端壁（１３５ａ）を有して該回転軸（７１）の一端部を挿入せしめる凹部（１３５）が前記各供給油路（１２５，１２６）を内周に開口させるようにして設けられ、前記複数の回転軸内油路（１１１，１１２）のうちの１つである特定の回転軸内油路（１１２）を除く他の回転軸内油路（１１１）に内端を通じさせて前記回転軸（７１）の半径方向に延びる少なくとも１つの径方向連通孔（１３８）が前記回転軸（７１）の一端部に設けられ、前記回転軸（７１）の一端部の外周および前記凹部（１３５）の内周間に、前記複数の供給油路（１２５，１２６）に個別に通じて相互に独立した油路形成用凹部（１３９，１４０）を外周に有する円筒状の筒部材（１４１）が介装され、前記特定の回転軸内油路（１１２）に連通する油室（１４２）が、前記凹部（１３５）の前記閉塞端壁（１３５ａ）と前記回転軸（７１）の一端および前記筒部材（１４１）の一端との間に形成され、前記複数の油路形成用凹部（１３９，１４０）の１つ（１４０）を前記油室（１４２）に通じさせるようにして前記筒部材（１４１）の軸方向に延びる軸方向油孔（１４３）と、残余の前記油路形成用凹部（１３９）を前記径方向連通孔（１３８）に通じさせるようにして前記筒部材（１４１）の半径方向に延びる径方向油孔（１４４）とが前記筒部材（１４１）に設けられることを特徴とするエンジンの油圧クラッチ用油路構造。
【請求項３】
前記複数の供給油路（１２５，１２６）が、前記回転軸（７１）の軸線を通る一平面を挟んでその両側に振り分け配置されるようにして前記ケースカバー（５５）の外面に沿って互いに平行に延出しており、これら供給油路（１２５，１２６）の前記凹部（１３５）内周への開口部と前記油路形成用凹部（１３９，１４０）とが、前記回転軸（７１）の軸線に直交する一平面上に各々配置されていることを特徴とする請求項２記載のエンジンの油圧クラッチ用油路構造。
【請求項４】
前記回転軸（７１）の軸線方向に並ぶ第１および第２の油圧クラッチ（６１，６２）が前記回転軸（７１）上に設けられ、一対である前記回転軸内油路（１１１，１１２）が第１および第２の油圧クラッチ（６１，６２）が個別に有する制御油圧室（９６，１０６）に個別に連通されることを特徴とする請求項１〜３のいずれかに記載のエンジンの油圧クラッチ用油路構造。
【請求項５】
前記複数の回転軸内油路（１１１，１１２）が、前記回転軸（７１）の中心軸線の周囲に周方向に間隔をあけて設けられることを特徴とする請求項１〜４のいずれかに記載のエンジンの油圧クラッチ用油路構造。
【請求項６】
前記筒部材（１４１）が、前記回転軸（７１）の軸線に直交する平面への投影図上で、前記油圧クラッチ（６１，６２）が備えるクラッチピストン（９５，１０５）の内周よりも内方に配置されることを特徴とする請求項２または３記載のエンジンの油圧クラッチ用油路構造。
【請求項７】
前記軸方向油孔（１４３）が、前記筒部材（１４１）の周方向に長い長孔状に形成されることを特徴とする請求項２または３記載のエンジンの油圧クラッチ用油路構造。
【請求項８】
前記筒部材（１４１）の外周に、前記複数の油路形成用凹部（１３９，１４０）および前記複数の供給油路（１２５，１２６）の連通部を両側からシールするようにして前記凹部（１３５）の内周に弾発的に接触する一対の環状のシール部材（１４５，１４６）が装着されることを特徴とする請求項２または３記載のエンジンの油圧クラッチ用油路構造。
【請求項９】
前記特定の回転軸内油路（１１２）を除く他の回転軸内油路（１１１）の軸方向一端を閉じるプラグ（１２０）が、前記回転軸（７１）の一端部に圧入されることを特徴とする請求項２または３記載のエンジンの油圧クラッチ用油路構造。
【発明の詳細な説明】
【技術分野】
【０００１】
本発明は、クランクシャフトと平行な軸線を有してクランクケースに回転自在に支承される回転軸上に油圧クラッチが設けられ、前記油圧クラッチにオイルを供給する複数の回転軸内油路が前記回転軸にその軸線方向に延びるようにして設けられ、前記油圧クラッチを覆って前記クランクケースに結合されるケースカバーに、オイル供給源からのオイルを導く複数の供給油路が設けられ、それらの供給油路が前記各回転軸内油路に個別に接続されるエンジンの油圧クラッチ用油路構造に関する。
【背景技術】
【０００２】
一対の油圧クラッチにそれぞれ制御用油圧を供給する油路ならびに一方の油圧クラッチのキャンセラー室に潤滑用オイルを供給する油路を相互に独立させて回転軸内に形成するために、ケースカバー側に一端が支持されるようにして同心状に配置される３本のパイプを回転軸内に挿入するようにしたものが、特許文献１で知られている。
【先行技術文献】
【特許文献】
【０００３】
【特許文献１】特開２００８−８９０６４号公報
【発明の概要】
【発明が解決しようとする課題】
【０００４】
ところが、上記特許文献１で開示されるものでは、ケースカバーと、該ケースカバーの内面から間隔をあけた位置に一端が配置される回転軸間を３本のパイプで接続するようにしており、回転軸の軸線に沿う方向でエンジンが大型化してしまう。
【０００５】
本発明は、かかる事情に鑑みてなされたものであり、回転軸上に設けられる油圧クラッチにオイルを供給するにあたってエンジンの大型化を回避し得るようにしたエンジンの油圧クラッチ用油路構造を提供することを目的とする。
【課題を解決するための手段】
【０００６】
上記目的を達成するために、本発明は、クランクシャフトと平行な軸線を有してクランクケースに回転自在に支承される回転軸上に油圧クラッチが設けられ、前記油圧クラッチにオイルを供給する複数の回転軸内油路が前記回転軸にその軸線方向に延びるようにして相互に間隔をあけて設けられ、前記油圧クラッチを覆って前記クランクケースに結合されるケースカバーに、オイル供給源からのオイルを導く複数の供給油路が設けられ、それらの供給油路が前記各回転軸内油路に個別に接続されるエンジンの油圧クラッチ用油路構造であって、前記ケースカバーの、前記回転軸の一端に対応する部分が外方に突出していて、その突出部の内面に、前記回転軸の一端に対向する閉塞端壁を有して該回転軸の一端部を挿入せしめる凹部が、前記各供給油路を内周に開口させるようにして設けられ、前記複数の供給油路は、前記回転軸の軸線を通る一平面を挟んでその両側に振り分け配置されるようにして前記突出部の側部から前記ケースカバーの外面に沿って互いに平行に延出しており、前記複数の回転軸内油路のうちの１つである特定の回転軸内油路を除く他の回転軸内油路に内端を通じさせて前記回転軸の半径方向に延びる少なくとも１つの径方向連通孔が前記回転軸の一端部に設けられ、前記径方向連通孔が前記複数の供給油路のうち対応の供給油路に前記凹部内で連通されることを第１の特徴とする。
【０００７】
また本発明は、クランクシャフトと平行な軸線を有してクランクケースに回転自在に支承される回転軸上に油圧クラッチが設けられ、前記油圧クラッチにオイルを供給する複数の回転軸内油路が前記回転軸にその軸線方向に延びるようにして相互に間隔をあけて設けられ、前記油圧クラッチを覆って前記クランクケースに結合されるケースカバーに、オイル供給源からのオイルを導く複数の供給油路が設けられ、それらの供給油路が前記各回転軸内油路に個別に接続されるエンジンの油圧クラッチ用油路構造であって、前記ケースカバーの内面に、前記回転軸の一端に対向する閉塞端壁を有して該回転軸の一端部を挿入せしめる凹部が前記各供給油路を内周に開口させるようにして設けられ、前記複数の回転軸内油路のうちの１つである特定の回転軸内油路を除く他の回転軸内油路に内端を通じさせて前記回転軸の半径方向に延びる少なくとも１つの径方向連通孔が前記回転軸の一端部に設けられ、前記回転軸の一端部の外周および前記凹部の内周間に、前記複数の供給油路に個別に通じて相互に独立した油路形成用凹部を外周に有する円筒状の筒部材が介装され、前記特定の回転軸内油路に連通する油室が、前記凹部の前記閉塞端壁と前記回転軸の一端および前記筒部材の一端との間に形成され、前記複数の油路形成用凹部の１つを前記油室に通じさせるようにして前記筒部材の軸方向に延びる軸方向油孔と、残余の前記油路形成用凹部を前記径方向連通孔に通じさせるようにして前記筒部材の半径方向に延びる径方向油孔とが前記筒部材に設けられることを第２の特徴とする。
【０００８】
また本発明は、第２の特徴の構成に加えて、前記複数の供給油路が、前記回転軸の軸線を通る一平面を挟んでその両側に振り分け配置されるようにして前記ケースカバーの外面に沿って互いに平行に延出しており、これら供給油路の前記凹部内周への開口部と前記油路形成用凹部とが、前記回転軸の軸線に直交する一平面上に各々配置されていることを第３の特徴とする。
【０００９】
本発明は、第１〜第３の特徴の構成のいずれかに加えて、前記回転軸の軸線方向に並ぶ第１および第２の油圧クラッチが前記回転軸上に設けられ、一対である前記回転軸内油路が第１および第２油圧クラッチが個別に有する制御油圧室に個別に連通されることを第３の特徴とする。
【００１０】
本発明は、第１〜第４の特徴の構成のいずれかに加えて、前記複数の回転軸内油路が、前記回転軸の中心軸線の周囲に周方向に間隔をあけて設けられることを第５の特徴とする。
【００１１】
本発明は、第２または第３の特徴の構成に加えて、前記筒部材が、前記回転軸の軸線に直交する平面への投影図上で、前記油圧クラッチが備えるクラッチピストンの内周よりも内方に配置されることを第６の特徴とする。
【００１２】
本発明は、第２または第３の特徴の構成に加えて、前記軸方向油孔が、前記筒部材の周方向に長い長孔状に形成されることを第７の特徴とする。
【００１３】
本発明は、第または第３２の特徴の構成に加えて、前記筒部材の外周に、前記複数の油路形成用凹部および前記複数の供給油路の連通部を両側からシールするようにして前記凹部の内周に弾発的に接触する一対の環状のシール部材が装着されることを第８の特徴とする。
【００１４】
さらに本発明は、第２または第３の特徴の構成に加えて、前記特定の回転軸内油路を除く他の回転軸内油路の軸方向一端を閉じるプラグが、前記回転軸の一端部に圧入されることを第９の特徴とする。
【００１５】
なお実施の形態の右ケースカバー５５が本発明のケースカバーに対応し、実施の形態の第１シャフト７１が本発明の回転軸に対応し、実施の形態の第１および第２の制御用油路１１１，１１２が本発明の回転軸内油路に対応し、実施の形態のオイルポンプ１２７が本発明のオイル供給源に対応する。
【発明の効果】
【００１６】
本発明の第１の特徴によれば、ケースカバーに設けられる凹部に一端部を挿入せしめる回転軸にその軸線方向に延びる複数の回転軸内油路が相互に間隔をあけて設けられ、ケースカバーの、回転軸の一端に対応する部分が外方に突出していて、その突出部の内面に、回転軸の一端に対向する閉塞端壁を有して該回転軸の一端部を挿入せしめる凹部が各供給油路を内周に開口させるようにして設けられ、各供給油路が、回転軸の軸線を通る一平面を挟んでその両側に振り分け配置されるようにして前記突出部の側部からケースカバーの外面に沿って互いに平行に延出しており、回転軸内油路の１つである特定の回転軸内油路を除く他の回転軸内油路が、回転軸の半径方向に延びるようにして回転軸の一端部に設けられる径方向連通孔を介して、凹部内でケースカバーの供給油路に連通するので、複数の回転軸内油路を形成するための複数のパイプが回転軸およびケースカバー間に配設される場合に比べて、回転軸の軸線方向でエンジンをコンパクト化することができる。
【００１７】
また本発明の第２の特徴によれば、ケースカバーに設けられる凹部に一端部を挿入せしめる回転軸にその軸線方向に延びる複数の回転軸内油路が相互に間隔をあけて設けられ、それらの回転軸内油路の１つである特定の回転軸内油路を除く他の回転軸内油路が、回転軸の半径方向に延びるようにして回転軸の一端部に設けられる径方向連通孔を介して、凹部内でケースカバーの供給油路に連通するので、複数の回転軸内油路を形成するための複数のパイプが回転軸およびケースカバー間に配設される場合に比べて、回転軸の軸線方向でエンジンをコンパクト化することができるばかりでなく、回転軸の一端部の外周および前記凹部の内周間に、複数の供給油路に個別に通じる複数の油路形成用凹部を外周に有する円筒状の筒部材が介装され、凹部の閉塞端壁と回転軸の一端および筒部材の一端との間に形成される油室が、特定の回転軸内油路に連通するとともに筒部材の軸方向に延びる軸方向油孔を介して複数の油路形成用凹部の１つに連通され、残余の油路形成用凹部および径方向連通孔が、筒部材の半径方向に延びる径方向油孔を介して連通するので、ケースカバーに設けられる複数の供給油路と、回転軸に設けられる複数の回転軸内油路とを連通させる構造をコンパクトに構成することができる。
【００１８】
本発明の第４の特徴によれば、第１および第２の油圧クラッチが回転軸上に設けられ、一対の回転軸内油路が第１および第２油圧クラッチの制御油圧室に個別に連通するので、第１および第２油圧クラッチから成るツインクラッチを備えるエンジンにあっても、回転軸の軸線方向でエンジンをコンパクト化することができる。
【００１９】
本発明の第５の特徴によれば、複数の回転軸内油路が回転軸の中心軸線の周囲に周方向に間隔をあけて設けられるので、回転軸内油路を相互の干渉を回避して回転軸に設けることができる。
【００２０】
本発明の第６の特徴によれば、回転軸の軸線に直交する平面への投影図上では、油圧クラッチが備えるクラッチピストンの内周よりも内方に筒部材が配置されるので、筒部材が配置されることによってケースカバーが大型化するのを回避することができる。
【００２１】
本発明の第７の特徴によれば、筒部材に設けられる軸方向油孔が筒部材の周方向に長い長孔状に形成されるので、軸方向油孔が真円である場合に比べると、筒部材の大径化を回避しつつ軸方向油孔の横断面積を増大し、筒部材の外周に設けられる複数の油路形成用凹部の１つから油室へのオイルの流れをよりスムーズとすることができる。
【００２２】
本発明の第８の特徴によれば、筒部材の外周に装着される一対の環状のシール部材によって、前記複数の油路形成用凹部および複数の供給油路の連通部を両側からシールして、供給油路から筒部材を介して回転軸内油路側に流通するオイルの漏れを防止することができる。
【００２３】
さらに本発明の第９の特徴によれば、特定の回転軸内油路を除く他の回転軸内油路の軸方向一端を閉じるようにして回転軸の一端部にプラグが圧入されるので、前記他の回転軸内油路および前記油室間を簡単に遮断することができる。
【図面の簡単な説明】
【００２４】
【図１】自動二輪車の側面図である。
【図２】図１と同一方向から見たパワーユニットの側面図である。
【図３】図２の３−３線断面図である。
【図４】図３の要部拡大図であって図５の４−４線に沿う断面図である。
【図５】図４の５−５線断面図である。
【図６】図５の６−６線断面図である。
【図７】図４の７矢視図である。
【発明を実施するための形態】
【００２５】
本発明の実施の形態について、添付の図面を参照しながら説明すると、先ず図１において、車両である自動二輪車の車体フレームＦは、前輪ＷＦを軸支したフロントフォーク１１を操向可能に支承するヘッドパイプ１２と、該ヘッドパイプ１２から後下がりに延びる左右一対のメインフレーム１３…と、それらのメインフレーム１３…よりも急傾斜で後下がりに延びる左右一対のダウンフレーム１４…と、両ダウンフレーム１４…の下端から後方に延びるロアフレーム１５…と、前記メインフレーム１３…の後端から下方に延びて前記両ロアフレーム１５…の後端に連接される左右一対のセンターフレーム１６…と、前記メインフレーム１３…の後端から後上がりに延びる左右一対のシートレール１７…と、前記センターフレーム１６…の下部および前記シートレール１７…の後部間を結ぶリヤフレーム１８…とを備え、メインフレーム１３、ダウンフレーム１４、ロアフレーム１５およびセンターフレーム１６は、金属製パイプの曲げ加工によって一体に連なって形成される。
【００２６】
前記メインフレーム１３…、ダウンフレーム１４…、ロアフレーム１５…およびセンターフレーム１６…で囲まれる領域には、多気筒たとえば２気筒であるエンジンＥと、該エンジンＥのクランクケース１９に一部が内蔵される歯車変速機Ｍ（図３参照）とを備えるパワーユニットＰが車体フレームＦで支持されるようにして配置され、該パワーユニットＰが発揮する動力で駆動される後輪ＷＲを後端部で軸支するスイングアーム２０の前端部が、前記センターフレーム１６…の下部に設けられるピボットプレート２１…に支軸２２を介して上下揺動可能に支承される。また前記エンジンＥの上方でメインフレーム１３…に燃料タンク２４が搭載され、該燃料タンク２４の後方に配置される乗車用前部シート２５ならびに該乗車用前部シート２５のさらに後方に配置される乗車用後部シート２６が前記シートレール１７…で支持される。
【００２７】
図２において、前記エンジンＥは、車幅方向に延びる軸線を有するクランクシャフト２８を回転自在に支承するクランクケース１９と、前傾したシリンダ軸線Ｃを有してクランクケース１９の前部上端に結合されるシリンダブロック２９と、該シリンダブロック２９の上端に結合されるシリンダヘッド３０と、該シリンダヘッド３０の上端に結合されるヘッドカバー３１とを備え、前記クランクケース１９の下部にはオイルパン３２が結合される。
【００２８】
図３を併せて参照して、前記クランクケース１９は、上ケース半体３３および下ケース半体３４が上下に分割可能として分割面３５で結合されて成るものであり、シリンダブロック２９は上ケース半体３３と一体に形成される。
【００２９】
前記シリンダブロック２９は、車幅方向に並列して配置される複数たとえば２つのシリンダボア３６，３６を有するものであり、それらのシリンダボア３６…の配列方向すなわち車幅方向に沿って延びる前記クランクシャフト２８を回転自在に支承するクランクケース１９には、前記クランクシャフト２８を挿通、軸支する軸受孔３７…を有する第１〜第３支持壁３８，３９，４０が、クランクシャフト２８の軸方向一端（図３の左端）から軸方向他端（図３の右端）側に向かって順に並ぶようにして設けられる。しかも前記クランクケース１９内において、前記クランクシャフト２８の軸線に沿う方向で隣接する前記支持壁間、すなわち第１および第２支持壁３８，３９間ならびに第２および第３支持壁３９，４０間には、前記複数のシリンダボア３６…に個別に対応したクランク室４１，４１が形成される。また前記クランクケース１９内の後部には、前記各クランク室４１…に共通に通じる変速機室４２が形成される。
【００３０】
前記クランクケース１９の左側面には、該クランクケース１９との間に発電機室４５を形成する左ケースカバー４６が結合され、発電機室４５内に収容される発電機４７のロータ４８が、発電機室４５内に突入した前記クランクシャフト２８の端部に固定され、発電機４７のステータ４９は、前記ロータ４８で囲繞されるようにして左ケースカバー４６に固定される。
【００３１】
またクランクケース１９の上方には、図２で示すように、前記左ケースカバー４６の上端部で側方から覆われるようにしてスタータモータ５０が固定配置されており、そのスタータモータ５０からの動力を伝達する減速ギヤ列５１の一部を構成する被動ギヤ５２が、一方向クラッチ５３を介して前記ロータ４８に連結される。
【００３２】
前記クランクシャフト２８には、前記クランクケース１９の第１支持壁３８に内方から近接した駆動ギヤ７８が固着される。ところでクランクケース１９には、図２で示すように、一次バランサである第１および第２バランサ７９，８０が、第１バランサ７９を前記クランクシャフト２８の後方斜め上方に配置し、第２バランサ８０を前記クランクシャフト２８の前方斜め下方に配置するようにして回転自在に支承されており、第１および第２バランサ７９，８０に設けられる被動ギヤ８１，８２が前記駆動ギヤ７８に噛合する。
【００３３】
前記クランクケース１９の右側面には、該クランクケース１９との間にクラッチ室５４を形成する右ケースカバー５５が結合される。而して前記変速機室４２には、前記クランクシャフト２８と平行な軸線を有してクランクケース１９で回転自在に支承されるメインシャフト５８およびカウンタシャフト５９間に選択的に確立可能な複数変速段のギヤ列たとえば第１速〜第６速ギヤ列Ｇ１〜Ｇ６が設けられて成る歯車変速機Ｍが収容される。また前記クラッチ室５４には、前記クランクシャフト２８からの動力を伝達する一次減速装置６０と、一次減速装置６０および前記メインシャフト５８間に介設される第１および第２の油圧クラッチ６１，６２とが収容される。
【００３４】
前記カウンタシャフト５９の一端部は、クランクケース１９の右側壁にローラベアリング８３を介して回転自在に支承され、カウンタシャフト５９の他端部は、クランクケース１９との間にボールベアリング６３および環状のシール部材６４を介在させてクランクケース１９の後部左側面から突出される。
【００３５】
このカウンタシャフト５９の他端部から出力される回転動力は、図１で示すように、動力伝達手段６５を介して後輪ＷＲに伝達される。而して動力伝達手段６５は、前記カウンタシャフト５９の軸端に固定される駆動スプロケット６６と、前記後輪ＷＲに同軸に設けられる被動スプロケット６７とに、無端状のチェーン６８が巻掛けられて成る。
【００３６】
また前記クラッチ室５４内で前記クランクシャフト２８の端部にはパルサ６９が固着されており、このパルサ６９の外周に対向するようにして前記クラッチ室５４内に配置される回転速センサ７０が右ケースカバー６６に固定される。
【００３７】
前記メインシャフト５８は、第１シャフト７１と、第１シャフト７１を同軸にかつ相対回転可能に挿通せしめる第２シャフト７２とから成り、第１シャフト７１およびカウンタシャフト５９間に、第１速ギヤ列Ｇ１、第３ギヤ列Ｇ３および第５速ギヤ列Ｇ５が設けられ、第２シャフト７２およびカウンタシャフト５９間に、第２速ギヤ列Ｇ２、第４速ギヤ列Ｇ４および第６速ギヤ列Ｇ６が設けられる。
【００３８】
第１シャフト７１は、第２シャフト７２よりも小径に形成されており、クランクケース１９を回転自在に貫通する第１シャフト７１の一端部は、第１クラッチインナ９１およびボールベアリング７５を介して右ケースカバー５５に回転自在に支承され、第１シャフト７１の他端部は、クランクケース１９の上ケース半体３３にボールベアリング７３を介して回転自在に支承される。またクランクケース１９には、第１シャフト７１よりも大径である第２シャフト７２の軸方向中間部がボールベアリング７６を介して回転自在に支承され、第２シャフト７２には、第１シャフト７１の中間部が同軸にかつ相対回転自在に挿通され、第１シャフト７１および第２シャフト７２間には複数のニードルベアリング７７，７７…が介装される。
【００３９】
図４を併せて参照して、第１シャフト７１の一端寄り中間部には、第２シャフト７２に軸方向で隣接する伝動筒軸８５が軸方向位置を一定として相対回転可能に装着されており、第１の油圧クラッチ６１は、伝動筒軸８５および第１シャフト７１間の動力断・接を切換可能として第１シャフト７１上に設けられ、第２の油圧クラッチ６２は、伝動筒軸８５および第２シャフト７２間の動力断・接を切換可能として第１シャフト７１上に設けられる。
【００４０】
前記伝動筒軸８５には、クランクシャフト２８からの動力が一次減速装置６０およびダンパースプリング８６を介して伝達される。而して一次減速装置６０は、前記クランクシャフト２８とともに回転する駆動ギヤ８７と、該駆動ギヤ８７に噛合するようにして第１および第２シャフト７１，７２と同軸に配置される被動ギヤ８８とから成り、被動ギヤ８８が前記ダンパースプリング８６を介して伝動筒軸８５に連結される。
【００４１】
第１の油圧クラッチ６１は、一次減速装置６０よりも第１シャフト７１の軸方向一方側に配置されており、前記伝動筒軸８５を同軸に囲繞する円筒状の第１ボス部９０ａならびに第１ボス部９０ａを同軸に囲繞する円筒状の第１外側筒部９０ｂを有して同心の二重有底円筒状に形成されるとともに前記伝動筒軸８５に相対回転不能に結合される第１クラッチアウタ９０と、第１外側筒部９０ｂで同軸に囲繞される円筒状の第１内側筒部９１ａを有して第１シャフト７１に相対回転不能に結合されるとともに右ケースカバー５５との間にボールベアリング７５が介装される第１クラッチインナ９１と、第１クラッチアウタ９０の第１外側筒部９０ｂに相対回転不能に係合される複数枚の第１駆動摩擦板９２…と、第１クラッチインナ９１の第１内側筒部９１ａに相対回転不能に係合されるとともに第１駆動摩擦板９２…と交互に配置される複数枚の第１被動摩擦板９３…と、相互に重なって配置される第１駆動摩擦板９２…および第１被動摩擦板９３…に対向して第１クラッチアウタ９０に固定的に支持される第１受圧板９４と、第１駆動摩擦板９２…および第１被動摩擦板９３…を第１受圧板９４との間に挟むとともに第１制御油圧室９６を第１クラッチアウタ９０との間に形成する第１クラッチピストン９５と、第１制御油圧室９６の容積を減少させる側に第１クラッチピストン９５を付勢する第１ばね９８とを備える。
【００４２】
第１クラッチピストン９５の内周部は第１クラッチアウタ９０における第１ボス部９０ａの外周に液密に摺接され、第１クラッチピストン９５の外周は第１クラッチアウタ９０の第１外側筒部９０ｂに液密に摺接される。而して第１制御油圧室９６の油圧増大に応じて第１クラッチピストン９５は、第１駆動摩擦板９２…および第２被動摩擦板…を第１受圧板９４との間に挟圧するように作動し、それにより第１の油圧クラッチ６１が、クランクシャフト２８から一次減速装置６０、ダンパースプリング８６および伝動筒軸８５を介して第１クラッチアウタ９０に伝達される回転動力を第１シャフト７１に伝達するクラッチオン状態となる。
【００４３】
また第１制御油圧室９６とは反対側で第１クラッチピストン９５との間に第１キャンセラー室９７を形成する第１壁部材９９の内周部が、第１クラッチアウタ９０の第１ボス部９０ａに支持されており、この第１壁部材９９の外周部に第１クラッチピストン９５が液密に摺接される。しかも第１ばね９８は、第１キャンセラー室９７に収容されて第１クラッチピストン９５および第１壁部材９９間に介設される。而して第１キャンセラー室９７には潤滑用オイルが導入されるものであり、減圧状態での第１制御油圧室９６のオイルに回転に伴う遠心力が作用して第１クラッチピストン９５を押圧する力が生じても、第１キャンセラー室９７のオイルにも同様に遠心力が作用するので、第１クラッチピストン９５が、第１駆動摩擦板９２…および第１被動摩擦板９３…を第１受圧板９４との間に挟む側に不所望に移動してしまう状態が生じることが回避される。
【００４４】
第２の油圧クラッチ６２は、一次減速装置６０を第１の油圧クラッチ６１との間に挟むようにして第１の油圧クラッチ６１よりも第１シャフト７１の軸方向他方側に配置されるものであり、前記伝動筒軸８５を同軸に囲繞する円筒状の第２ボス部１００ａならびに第２ボス部１００ａを同軸に囲繞する円筒状の第２外側筒部１００ｂを有して同心の二重有底円筒状に形成されて前記伝動筒軸８５に相対回転不能に結合される第２クラッチアウタ１００と、第２外側筒部１００ｂで同軸に囲繞される円筒状の第２内側筒部１０１ａを有して第２シャフト７２に相対回転不能に結合される第２クラッチインナ１０１と、第２クラッチアウタ１００の第２外側筒部１００ｂに相対回転不能に係合される複数枚の第２駆動摩擦板１０２…と、第２クラッチインナ１０１の第２内側筒部１０１ａに相対回転不能に係合されるとともに第２駆動摩擦板１０２…と交互に配置される複数枚の第２被動摩擦板１０３…と、相互に重なって配置される第２駆動摩擦板１０２…および第２被動摩擦板１０３…に対向して第２クラッチアウタ１００に固定的に支持される第２受圧板１０４と、第２駆動摩擦板１０２…および第２被動摩擦板１０３…を第２受圧板１０４との間に挟むとともに第２制御油圧室１０６を第２クラッチアウタ１００との間に形成する第２クラッチピストン１０５と、第２制御油圧室１０６の容積を減少させる側に第２クラッチインナ１０１を付勢する第２ばね１０８とを備える。
【００４５】
第２クラッチピストン１０５の内周部は第２クラッチアウタ１００における第２ボス部１００ａの外周に液密に摺接され、第２クラッチピストン１０５の外周は第２クラッチアウタ１００の第２外側筒部１００ｂに液密に摺接される。而して第２制御油圧室１０６の油圧増大に応じて第２クラッチピストン１０５は、第２駆動摩擦板１０２…および第２被動摩擦板１０３…を第２受圧板１０４との間に挟圧するように作動し、それにより第２の油圧クラッチ６２が、クランクシャフト２８から一次減速装置６０、ダンパースプリング８６および伝動筒軸８５を介して第２クラッチアウタ１００に伝達される回転動力を第２シャフト７２に伝達するクラッチオン状態となる。
【００４６】
また第２制御油圧室１０６とは反対側で第２クラッチピストン１０５との間に第２キャンセラー室１０７を形成する第２壁部材１０９の内周部が、第２クラッチアウタ１００の第２ボス部１００ａに支持されており、この第２壁部材１０９の外周部に第２クラッチピストン１０５が液密に摺接される。しかも第２ばね１０８は、第２キャンセラー室１０７に収容されて第２クラッチピストン１０５および第２壁部材１０９間に介設される。而して第２キャンセラー室１０７には潤滑用オイルが導入されるものであり、減圧状態での第２制御油圧室１０６のオイルに回転に伴う遠心力が作用して第２クラッチピストン１０５を押圧する力が生じても、第２キャンセラー室１０７のオイルにも同様に遠心力が作用するので、第２クラッチピストン１０５が、第２駆動摩擦板１０２…および第２被動摩擦板１０３…を第２受圧板１０４との間に挟む側に不所望に移動してしまう状態が生じることが回避される。
【００４７】
而して第１の油圧クラッチ６１が動力伝達状態にあって第１シャフト７１にクランクシャフト２８から動力が伝達されているときには、第１、第３および第５速ギヤ列Ｇ１，Ｇ３，Ｇ５のうち択一的に確立したギヤ列を介して第１シャフト７１からカウンタシャフト５９に動力を伝達することが可能であり、第２の油圧クラッチ６２が動力伝達状態にあって第２シャフト７２にクランクシャフト２８から動力が伝達されているときには、第２、第４および第６速ギヤ列Ｇ２，Ｇ４，Ｇ６のうち択一的に確立したギヤ列を介して第２シャフト７２からカウンタシャフト５９に動力を伝達することが可能である。
【００４８】
図５および図６を併せて参照して、第１の油圧クラッチ６１の第１制御油圧室９６には第１シャフト７１に設けられる第１の制御用油路１１１が接続され、第２の油圧クラッチ６２の第２制御油圧室１０６には第１シャフト７１に設けられる第２の制御用油路１１２が接続され、第１シャフト７１の周囲の被潤滑部に潤滑用オイルを供給可能とした潤滑用油路１１３が、第１および第２の油圧クラッチ６１，６２がそれぞれ備える第１および第２キャンセラー室９７，１０７に接続される。
【００４９】
潤滑用油路１１３には、第１シャフト７１の他端側から潤滑用オイルが供給されるものであり、第１シャフト７１の周囲の被潤滑部に潤滑用オイルを供給するようにして第１シャフト７１に同軸に設けられる上流側油路１１３ａと、該上流側油路１１３ａからの潤滑用オイルを第１および第２キャンセラー室９７，１０７に供給するようにして上流側油路１１３ａに連なるとともに上流側油路１１３ａよりも小径に形成されて少なくとも一部が第１シャフト７１の軸線と平行に延びる下流側油路１１３ｂとから成るものであり、この実施例１では、第１および第２の制御用油路１１１，１１２の直径と同一の直径を有する下流側油路１１３ｂが、第１シャフト７１の軸線と平行に延びつつ前記上流側油路１１３ａに連なるようにして第１シャフト７１に設けられる。
【００５０】
上流側油路１１３ａは、第１シャフト７１の他端側に外端を開口するようにして第１シャフト７１の軸方向他方から穿孔加工されるものであり、第１シャフト７１の軸線に沿う方向に並ぶ第１および第２の油圧クラッチ６１，６２のうち第２の油圧クラッチ６２に側面視で重なる位置に、上流側油路１１３ａの内端が配置される。一方、下流側油路１１３ｂは、上流側油路１１３ａの内端に通じるようにして第１シャフト７１の軸方向一方から穿孔加工され、下流側油路１１３ｂの外端はプラグ１１４で閉じられる。
【００５１】
而して第１シャフト７１の軸方向に間隔をあけた複数箇所には、第１シャフト７１の周辺の被潤滑部、たとえばこの実施の形態では、歯車変速機Ｍの複数箇所ならびに第１および第２シャフト７１，７２間に潤滑用オイルを供給する油孔１１５，１１５…が、潤滑用油路１１３の上流側油路１１３ａに内端を通じさせるようにして設けられる。また第１の油圧クラッチ６１の第１キャンセラー室９７側に潤滑用オイルを導くための第１キャンセラー室用油孔１１６と、第２の油圧クラッチ６２の第２キャンセラー室１０７側に潤滑用オイルを導くための第２キャンセラー室用油孔１１７とが、潤滑用油路１１３の下流側油路１１３ｂに内端を通じさせるようにして第１シャフト７１に設けられる。第１キャンセラー室用油孔１１６は、伝動筒軸８５および第１クラッチアウタ９０の第１ボス部９０ａに設けられた連通孔１１８を介して第１キャンセラー室９７に連通し、第２キャンセラー室用油孔１１７は、伝動筒軸８５および第２クラッチアウタ１００の第２ボス部１００ａに設けられた連通孔１１９を介して第２キャンセラー室１０７に連通する。
【００５２】
第１および第２の制御用油路１１１，１１２は、第１シャフト７１の軸線に沿う方向で前記下流側油路１１３ｂが設けられる範囲に、それらの制御用油路１１１，１１２の少なくとも一部が配置されるようにして第１シャフト７１に相互に間隔をあけて設けられるものである。而して第１の制御用油路１１１は、第１シャフト７１の軸方向一端側から穿孔加工されるとともに外端が第１シャフト７１に圧入されるプラグ１２０で閉じられて成り、第２の制御用油路１１２は、外端を開放するようにして第１シャフト７１の軸方向一端側から穿孔加工される。
【００５３】
しかも第１の制御用油路１１１、第２の制御用油路１１２および潤滑用油路１１３の下流側油路１１３ｂは、図５で明示するように、第１シャフト７１の軸線に直交する平面への投影図上で上流側油路１１３ａに一部が重なる位置に配置されて第１シャフトに設けられ、第１シャフト７１の周方向に等間隔に配置される。
【００５４】
また第１シャフト７１の半径方向に沿う前記下流側油路１１３ｂ、第１の制御用油路１１１および第２の制御用油路１１２の外端Ｐ１，Ｐ２，Ｐ３が、前記上流側油路１１３ａの内周よりも外方に配置され、第１シャフト７１の半径方向に沿う前記下流側油路１１３ｂ、第１の制御用油路１１１および第２の制御用油路１１２の内端Ｐ４，Ｐ５，Ｐ６が、前記上流側油路１１３ａの中心軸線Ｃよりも外方に配置される。
【００５５】
また第１シャフト７１には、第１の油圧クラッチ６１の第１制御油圧室９６側に制御用オイルを導くための第１制御油圧室用油孔１２１が第１の制御用油路１１１に内端を通じさせるようにして設けられるとともに、第２の油圧クラッチ６２の第２制御油圧室１０６側に制御用オイルを導くための第２制御油圧室用油孔１２２が第２の制御用油路１１２に内端を通じさせるようにして設けられる。第１制御油圧室用油孔１２１は、伝動筒軸８５および第１クラッチアウタ９０の第１ボス部９０ａに設けられた連通孔１２３を介して第１制御油圧室９６に連通し、第２制御用油圧室用油孔１２２は、伝動筒軸８５および第２クラッチアウタ１００の第２ボス部１００ａに設けられた連通孔１２４を介して第２制御油圧室１０６に連通する。
【００５６】
図７を併せて参照して、第１および第２の制御油路１１１，１１２には、右ケースカバー５５側から制御用オイルが導かれるものであり、右ケースカバー５５には、第１の制御用油路１１１に通じる第１の供給油路１２５と、第２の制御用油路１１２に通じる第２の供給油路１２６とが設けられる。
【００５７】
ところで、クランクケース１９の下ケース半体３４には、図２で示すように、第２バランサ８０に相対回転不能に連結されるオイル供給源としてのオイルポンプ１２７が取付けられる。一方、前記右ケースカバー５５の下部には、第１の供給油路１２５および前記オイルポンプ１２７間に介設される第１油圧制御弁１２８と、第２の供給油路１２６および前記オイルポンプ１２７間に介設される第２油圧制御弁１２９とがユニット化されて成る油圧制御ユニット１３０が取付けられる。
【００５８】
また第１の供給油路１２５内の油圧を検出する第１油圧センサ１３１ならびに第２の供給油路１２６内の油圧を検出する第２油圧センサ１３２が右ケースカバー５５に取付けられる。
【００５９】
前記右ケースカバー５５の第１シャフト７１の一端に対応する部分は外方に突出していて、その突出部５５ａの内面には、第１シャフト７１の一端に対向する閉塞端壁１３５ａを有して第１シャフト７１の一端部を挿入せしめる凹部１３５が第１および第２供給油路１２５，１２６を内周に開口させるようにして設けられる。また、第１および第２供給油路１２５，１２６は、第１シャフト７１の軸線を通る一平面を挟んでその両側に振り分け配置されるようにして突出部５５ａの側部からケースカバー５５の外面に沿って互いに平行に延出している。
【００６０】
第１および第２の制御用油路１１１，１１２のうちの１つである特定の制御用油路（この実施の形態では第２の制御用油路１１２）を除く他の制御用油路である第１の制御用油路１１１に内端を通じさせて第１シャフト７１の半径方向に延びる少なくとも１つ（この実施の形態では１つ）の径方向連通孔１３８が第１シャフト７１の一端部に設けられ、前記径方向連通孔１３８が第１および第２の給油路１２５，１２６のうち対応の供給油路である第１の供給油路１２５に前記凹部１３５内で連通される。
【００６１】
ところで、第１シャフト７１の一端部の外周および前記凹部１３５の内周間には、第１および第２の供給油路１２５，１２６に個別に通じて相互に独立した第１および第２の油路形成用凹部１３９，１４０を外周に有する円筒状の筒部材１４１が、第１および第２の油路形成用凹部１３９，１４０と、前記第１および第２供給油路１２５，１２６の前記凹部１３５内周への開口部とを、第１シャフト７１の軸線に直交する一平面上に各々配置するようにして介装され、この筒部材１４１は、第１シャフト７１の軸線に直交する平面への投影図上で、第１および第２の油圧クラッチ６１，６２がそれぞれ備える第１および第２クラッチピストン９５，１０５の内周よりも内方に配置される。すなわち筒部材１４１の外周の第１および第２の油圧クラッチ６１，６２側への仮想延長線を図４および図６において鎖線Ｌ，Ｌで示すと、その鎖線Ｌ，Ｌは第１および第２クラッチピストン９５，１０５の内周よりも内方を通ることになる。しかも前記凹部１３５内での筒部材１４１の周方向位置を一定に定めるために、筒部材１４１の一端に突設される位置決め突起１３６が前記凹部１３５の周方向１箇所に設けられた位置決め凹部１３７に係合される。
【００６２】
また第２の制御用油路１１２に連通する油室１４２が、前記凹部１３５の前記閉塞端壁１３５ａと第１シャフト７１の一端および前記筒部材１４１の一端との間に形成され、第１および第２の油路形成用凹部１３９，１４０の１つである第２の油路形成用凹部１４０を前記油室１４２に通じさせるようにして前記筒部材１４１の軸方向に延びる軸方向油孔１４３と、残余の前記油路形成用凹部１３５である第１の油路形成用凹部１３５を前記径方向連通孔１３８に通じさせるようにして前記筒部材１４１の半径方向に延びる径方向油孔１４４とが前記筒部材１４１に設けられる。しかも軸方向油孔１４３は、前記筒部材１４１の周方向に長い長孔状に形成される。
【００６３】
また筒部材１４１の外周には、第１および第２の油路形成用凹部１３９，１４０と、第１および第２の供給油路１２５，１２６の連通部を両側からシールするようにして前記凹部１３５の内周に弾発的に接触する一対の環状のシール部材１４５，１４６が装着される。
【００６４】
次にこの実施の形態の作用について説明すると、メインシャフト５８の一部を構成してクランクケース１９に回転自在に支承される第１シャフト７１上には、第１および第２の油圧クラッチ６１，６２が設けられており、第１の油圧クラッチ６１の第１制御油圧室９６に制御用オイルを供給する第１の制御用油路１１１と、第２の油圧クラッチ６２の第２制御用油圧室１０６に制御用オイルを供給する第２の制御用油路１１２と、第１および第２の油圧クラッチ６１，６２がそれぞれ備える第１および第２キャンセラー室９７，１０７ならびに第１シャフト７１の周囲の被潤滑部に潤滑用オイルを供給する潤滑用油路１１３とが第１シャフト７１に設けられるのであるが、潤滑用油路１１３は、第１シャフト７１の周囲の被潤滑部に潤滑用オイルを供給するようにして第１シャフト７１に同軸に設けられる上流側油路１１３ａと、該上流側油路１１３ａから導かれる潤滑用オイルを第１および第２キャンセラー室９７，１０７に供給するようにして前記上流側油路１１３ａに連なるとともに前記上流側油路１１３ａよりも小径に形成される下流側油路１１３ｂとから成るので、潤滑用油路１１３のうち少なくとも被潤滑部に潤滑用オイルを供給する部分を大径として被潤滑部に充分な量の潤滑用オイルを供給することができる。
【００６５】
また上流側油路１１３ａに連なる下流側油路１１３ｂは第１シャフト７１の軸線と平行に延び、下流側油路１１３ｂと平行な軸線を有する第１および第２の制御用油路１１１，１１２の少なくとも一部が、第１シャフト７１の軸線に沿う方向で前記下流側油路１１３ｂが設けられる範囲に配置されるので、潤滑用油路１１３と、第１および第２の制御用油路１１１，１１２とをコンパクトに配置することができる。
【００６６】
また第１シャフト７１の軸線方向に並ぶ第１および第２の油圧クラッチ６１，６２毎の第１および第２制御油圧室９６，１０６に個別に通じる第１および第２の制御油路１１１，１１２および前記下流側油路１１３ｂが、第１シャフト７１の軸線に直交する平面への投影図上で前記上流側油路１１３ａに一部が重なる位置に配置されて第１シャフト７１に設けられるので、潤滑用油路１１３と、第１および第２の制御用油路１１１，１１２とをコンパクトに配置して第１シャフト７１に設けることができる。
【００６７】
しかも第１および第２の制御用油路１１１，１１２と、前記下流側油路１１３ｂとが、第１シャフト７１の周方向に等間隔に配置されるので、各制御油路１１１，１１２および下流側油路１１３ｂ間における第１シャフト７１の剛性を確保しつつ各制御油路１１１，１１２および下流側油路１１３ｂを第１シャフト７１にバランスよく配置することができる。また第１の制御用油路１１１、第２の制御用油路１１２および前記下流側油路１１３ｂの直径が同一に設定されるので、第１の制御用油路１１１、第２の制御用油路１１２および前記下流側油路１１３ｂの加工がし易くなり、加工性を高めることができる。
【００６８】
また第１シャフト７１の半径方向に沿う前記下流側油路１１３ｂ、第１の制御用油路１１１および第２の制御用油路１１２の外端Ｐ１，Ｐ２，Ｐ３が、上流側油路１１３ａの内周よりも外方に配置され、第１シャフト７１の半径方向に沿う前記下流側油路１１３ｂ、第１の制御用油路１１１および第２の制御用油路１１２の内端Ｐ４，Ｐ５，Ｐ６が、前記上流側油路１１３ａの中心軸線Ｃよりも外方に配置されるので、前記下流側油路１１３ｂ、第１の制御用油路１１１および第２の制御用油路１１２を相互の干渉を回避しつつコンパクトに配置することができる。
【００６９】
しかも第１および第２の制御用油路１１１，１１２とともに第１シャフト７１の軸方向一方から穿孔加工される前記下流側油路１１３ｂが、第１シャフト７１の軸方向他方から穿孔加工される前記上流側油路１１３ａに連通されるので、第１の制御用油路１１１、第２の制御用油路１１２および下流側油路１１３ｂが相互に第１シャフト７１の両端から穿孔加工される場合に比べると、穿孔加工が容易となる。
【００７０】
また潤滑用油路１１３の上流側油路１１３ａが、第１シャフト７１に並んで設けられる第１および第２の油圧クラッチ６１，６２のうち第１シャフト７１の軸線に沿う一方側に配置される第１の油圧クラッチ６１よりも第１シャフト７１の軸方向他方側に配置される第２の油圧クラッチ６２に、側面視で重なる位置に内端を配置するようにして第１シャフト７１の軸方向他端から延出されるので、上流側油路１１３ａの内端が第２の油圧クラッチ６２よりも前記軸方向他方側にある場合に比べると、上流側油路１１３ａをより長く形成して被潤滑部に潤滑用オイルをよりスムーズに供給することができる。
【００７１】
ところで第１および第２の制御用油路１１１，１１２は、第１および第２の油圧クラッチ６１，６２がそれぞれ備える第１および第２制御油圧室９６，１０６に個別に連通するものであり、第１および第２の油圧クラッチ６１，６２から成るツインクラッチを備えるエンジンＥにあっても、第１シャフト７１の軸線方向でエンジンＥをコンパクト化することができる。
【００７２】
また相互に間隔をあけて設けられた第１および第２の制御油路１１１，１１２には、オイルポンプ１２７からのオイルを導くようにして右ケースカバー５５に設けられた第１および第２の供給油路１２５，１２６から制御用オイルが供給されるものであり、前記右ケースカバー５５の第１シャフト７１の一端に対応する部分が外方に突出していて、その突出部５５ａの内面には、第１シャフト７１の一端に対向する閉塞端壁１３５ａを有して第１シャフト７１の一端部を挿入せしめる凹部１３５が第１および第２の供給油路１２５，１２６を内周に開口させるようにして設けられ、第１および第２の供給油路１２５，１２６が、第１シャフト７１の軸線を通る一平面を挟んでその両側に振り分け配置されるようにして突出部５５ａの側部からケースカバー５５の外面に沿って互いに平行に延出しており、第１および第２の制御用油路１１２のうちの１つである第２の制御用油路１１２を除く他の制御用油路である第１の制御用油路１１１に内端を通じさせて第１シャフト７１の半径方向に延びる１つの径方向連通孔１３８が第１シャフト７１の一端部に設けられ、前記径方向連通孔１３８が第１の供給油路１２５に前記凹部１３５内で連通される。
【００７３】
したがって第１および第２の制御用油路１１１，１１２を形成するための複数のパイプが第１シャフト７１および右ケースカバー５５間に配設される場合に比べて、第１シャフト７１の軸線方向でエンジンＥをコンパクト化することができる。
【００７４】
また第１シャフト７１の一端部の外周および前記凹部１３５の内周間には、第１および第２の供給油路１２５，１２６に個別に通じて相互に独立した第１および第２の油路形成用凹部１３９，１４０を外周に有する円筒状の筒部材１４１が介装され、第２の制御用油路１１２に連通する油室１４２が、前記凹部１３５の前記閉塞端壁１３５ａと第１シャフト７１の一端および前記筒部材１４１の一端との間に形成され、第１および第２の油路形成用凹部１３９，１４０の１つである第２の油路形成用凹部１４０を前記油室１４２に通じさせるようにして前記筒部材１４１の軸方向に延びる軸方向油孔１４３と、残余の前記油路形成用凹部である第１の油路形成用凹部１３９を前記径方向連通孔１３８に通じさせるようにして前記筒部材１４１の半径方向に延びる径方向油孔１４４とが前記筒部材１４１に設けられるので、右ケースカバー５５に設けられる第１および第２の供給油路１２５，１２６と、第１シャフト７１に設けられる第１および第２の制御用油路１１１，１１２とを連通させる構造をコンパクトに構成することができる。
【００７５】
また前記筒部材１４１は、第１シャフト７１の軸線に直交する平面への投影図上で、第１および第２の油圧クラッチ６１，６２がそれぞれ備える第１および第２クラッチピストン９５，１０５の内周よりも内方に配置されるので、筒部材１４１が配置されることによって右ケースカバー５５が大型化するのを回避することができる。
【００７６】
また筒部材１４１に設けられる軸方向油孔１４３が筒部材１４１の周方向に長い長孔状に形成されるので、軸方向油孔１４３が真円である場合に比べると、筒部材１４１の大径化を回避しつつ軸方向油孔１４３の横断面積を増大し、筒部材１４１の外周に設けられる第１および第２油路形成用凹部１３９，１４０の１つである第２油路形成用凹部１４０から油室１４２へのオイルの流れをよりスムーズとすることができる。
【００７７】
また筒部材１４１の外周に装着される一対の環状のシール部材１４５，１４６によって、第１および第２の油路形成用凹部１３９，１４０と、第１および第２の供給油路１２５，１２６の連通部を両側からシールして、第１および第２の供給油路１２５，１２６から筒部材１４１を介して第１および第２の制御用油路１１１，１１２側に流通するオイルの漏れを防止することができる。
【００７８】
さらに第１の制御用油路１１１の軸方向一端を閉じるようにして、凹部１３５内で第１シャフト７１の一端部にプラグ１２０が圧入されるので、第１の制御用油路１１１および前記油室１４２間を簡単に遮断することができる。
【００７９】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００８０】
１９・・・クランクケース
２８・・・クランクシャフト
５５・・・ケースカバーである右ケースカバー
５５ａ・・・突出部
６１・・・第１の油圧クラッチ
６２・・・第２の油圧クラッチ
７１・・・回転軸である第１シャフト
９５，１０５・・・クラッチピストン
９６，１０６・・・制御油圧室
１１１・・・回転軸内油路である第１の制御用油路
１１２・・・回転軸内油路である第２の制御用油路
１２０・・・プラグ
１２５，１２６・・・供給油路
１２７・・・オイル供給源であるオイルポンプ
１３５・・・凹部
１３５ａ・・・閉塞端壁
１３８・・・径方向連通孔
１３９，１４０・・・油路形成用凹部
１４２・・・油室
１４３・・・軸方向油孔
１４４・・・径方向油孔
１４５，１４６・・・シール部材
Ｅ・・・エンジン
【図１】
0005513199.tif 000002
【図２】
0005513199.tif 000003
【図３】
0005513199.tif 000004
【図４】
0005513199.tif 000005
【図５】
0005513199.tif 000006
【図６】
0005513199.tif 000007
【図７】
0005513199.tif 000008